(57)【要約】【課題】通常のスレッドターミナルを用いて製品のコストダウンを図り、また、支持体との連結部に装着したカバーをいたずらで外されることがない、ワイヤ取付け金物の提供。【解決手段】支持体２に取り付けた棒ねじ１２にワッシャー１４をはめ込み、つなぎ材１５を螺合し、スレッドターミナル１７の一端側ねじ部２１に決めナット１６を螺合しておく。スレッドターミナル１７の他端側ワイヤ固定部にワイヤ７の一端を固定し、また、あらかじめカバー１８を挿通しておく。スレッドターミナル１７のねじ部２１をつなぎ材１５に螺合し、ねじ込んでワイヤ７を張設したら、決めナット１６をつなぎ材１５に圧接して、つなぎ材１５に対するスレッドターミナル１７の位置を固定する。ついで、カバー１８を支持体２側に移動して、カバー開口部内側の係合溝をワッシャーに設けたストッパーリング２０に係合させ、回動可能であるが、軸方向に移動できないようにする。【選択図】図２
2008008069.tif 000002
【特許請求の範囲】
【請求項１】
棒ねじと、この棒ねじに嵌め込むワッシャーと、この棒ねじに螺合するつなぎ材と、決めナットと、スレッドターミナル及びカバーを備え、棒ねじはワイヤを取付ける支持体に取付けられ、ワッシャーは周面の溝にストッパーリングを備え、スレッドターミナルは一端にワイヤの端部を固定してあると共に他端にねじ部を有し、カバーは筒状で前記の部材を納めることができる大きさであると共に一端の開口部の内周面に前記のストッパーリングと嵌り合う係合溝を備え、スレッドターミナルのねじ部に決めナットを螺合し、スレッドターミナルにカバーを挿通しておく一方、棒ねじに、ワッシャーを嵌め、つなぎ材を螺合し、ついで、つなぎ材の他端にスレッドターミナルのねじ部を螺合して各部材を組み付け、決めナットをつなぎ材に圧接してつなぎ材に対するスレッドターミナルの位置を固定し、カバーを支持体側に移動して開口部の係合溝をワッシャーのストッッパーリングと係合させ、カバーを回転可能に、しかし、軸方向への移動が困難に取付けてあることを特徴としたワイヤ取付け金物。
【請求項２】
カバーの開口部における係合溝より外側の内周面を環状に、かつ、断面において開口側を開口に向けて広くなる緩傾斜の第１のテーパー面、奥側を開口と反対側が広くなる急傾斜の第２テーパー面として段丘状に形成してあることを特徴とした請求項１に記載のワイヤ取付け金物。
【請求項３】
ワッシャーとつなぎ材との間にさらにスプリングワッシャーを嵌めてあることを特徴とした請求項１又は２に記載のワイヤ取付け金物。
【請求項４】
カバーは、その開口端が支持体に近接して取り付けられていることを特徴とした請求項１〜３のいずれか１つに記載のワイヤ取付け金物。
【発明の詳細な説明】
【技術分野】
【０００１】
この発明は、例えば、立設した支柱間（支持体間）にワイヤを張って人の出入りを規制するフェンスのように、支持体間にワイヤを張設（緊張させて両端を固定すること）するためのワイヤ引寄せ金物に関する。
【背景技術】
【０００２】
支持体（支柱）間にワイヤを張る構造は、フェンスやワイヤガードなどに多く用いられている。また、ワイヤを張る方向として水平や傾斜したもの、あるいは垂直なものもある。いずれも、張設に際しては、一方の支持体にワイヤの一端を固定し、他端を他方の支持体に固定している。
【０００３】
ワイヤーの端部を支持体へ固定するには、スレッドターミナルを用いることが多い。スレッドターミナルは、一端にねじ部を他端にワイヤ固定部を有し、ワイヤの一端をワイヤ固定部にカシメなどで固定すると共に、一端のねじ部を支持体に直接取り付けてワイヤの端部を支持体に連結している。スレッドターミナルにはカバーを取り付けて支持体との連結部における外観を整えるのが普通であるが、このカバーはいたずらによってスレッドターミナルの箇所から外されやすい。
【０００４】
特許文献１は、この点を改善したもので、ケース９（カバー）は、開口部がワイヤ引寄せねじリング１４に螺合し、ワイヤ引寄せねじリング１４は、支柱２（支持体）に固定されたキャップボルト１２に対して定位置で回転自在に嵌合されている。ケース９はワイヤ６の一端をカシメて固定したストッパー１１を内部に係合しており、ワイヤ引寄せねじリング１４を回動することで、ケース９を介してワイヤ６を緊張する構造となっている。ワイヤねじリング１４を回動するには特殊な工具が必要とされている。
【０００５】
この構造は、ワイヤの端部を固定するための各部材がケース９に納められて外観がよく、また、ワイヤ引寄せねじリング１４は、ケース９を充分に引寄せると、ケース９の内側に入り込んでしまうことと、回転に特殊な工具が必要であることにより、いたずらもされにくい。
【０００６】
【特許文献１】特開２００１−６５６４５号公報
【発明の開示】
【発明が解決しようとする課題】
【０００７】
しかし、前記のワイヤ取付け金物は、ワイヤ端部をストッパー１１に固定してこれをケース９の内側へ納めるという特殊な構造であり、製品のコストを押し上げている。
この発明は、普及しているスレッドターミナルを用いて製品のコストダウンを図れると共に、支持体との連結部に装着するカバーがいたずらによっても外されない、ワイヤ取付け金物の提供を課題とする。
【課題を解決するための手段】
【０００８】
支持体に取付けた棒ねじにつなぎ材を利用して、一端にワイヤを固定したスレッドターミナルを接続する。支持体とつなぎ材間にワッシャーを介在させ、このワッシャーにストッパーリングを設ける。つなぎ材に対するスレッドターミナルの位置を決めナットで固定する。カバーは、ワッシャー、つなぎ材、決めナット及びスレッドターミナルを納めることができる大きさであって、単にパイプを切断した、両端が開口した形態とし、一方の開口部の内周面にストッパーリングが嵌合する係合溝を設ける。
【発明の効果】
【０００９】
スレッドターミナルがカバーによって化粧され、支持体とワイヤとの連結部の外観が良い。
カバーは回転可能であるが、ストッパーリングとの係合であるから、空回りであって、いたずらによって、つなぎ材や決めナットが緩められることがない。
支持体とつなぎ材間にワッシャーを介在させ、カバーが係合するストッパーリングはこのワッシャーに設けられているので、カバーからの回転や振動は、ワッシャー部分で緩衝され、つなぎ材まで回転や振動が伝わることは少ない。このため、つなぎ材や決めナットが緩んでしまうことが少ない。
カバーは両端開口の単なるパイプであって低コストで得ることができる。
【発明を実施するための最良の形態】
【００１０】
〔実施例１〕
図１は、水平な手摺り１を示し、床面に立設した支持体２〜５の上端に手摺りバー６を架設している。手摺りバー６と床面間の空間には、くぐり抜けや転落を防止するためにワイヤ７（７ａ，７ｂ）を用いたフェンス方式のワイヤ装置８を設けてある。支持体２〜５はワイヤ装置８における支持体でもあり、この実施例において、厚板金属を長方形に切り取ったシンプルな形態としてある。以下、図において左から始点支持体２、中間支持体３、中継支持体４および終点支持体５と称する。
【００１１】
始点支持体２はワイヤ装置８の始点に位置してワイヤ７の始点を取り付けるものであり、終点支持体５は終点に位置してワイヤの終点を取り付けるものである。中継支持体４は、始点側のワイヤ（第１のワイヤ７ａとする）の端部と終点側ワイヤ（第２のワイヤ７ｂとする）の端部を結合して中継するためのものである。また、中間支持体３は、一本のワイヤ７が長い場合に中間部を支持するためのもので、単にワイヤ７を通すための貫通孔が設けられているだけである。これらの支持体２，３，４は正面視で厚さ寸法が現れる配置で平行に、それぞれの基部を基礎コンクリート中に強固に固定されている。各支持体２，３，４はワイヤ７の張力程度では傾いたり、湾曲することはない。ワイヤ７の張力を強くするときは手摺１の両端に位置する始点支持体２と終点支持体５を補強する。ワイヤ７は支持体間隔に合わせた所定寸法に切断されている。
【００１２】
ワイヤ装置８は、第１のワイヤ７ａの一端を始点支持体２に始点用ワイヤ取付け金物９を用いて取り付け、他端を中継支持体４に中継用ワイヤ取付け金物１０を用いて固定し、さらに、第２のワイヤ７ｂの一端を中継用支持体４に前記の中継用ワイヤ取付け金物１０を用いて取り付け、他端を次に位置する中継用支持体４に次の中継用ワイヤ取付け金物１０を用いて取り付けた状態となる。この状態を繰り返して設計した長さのワイヤ装置８を構成する。最後の第２ワイヤ７ｂの他端は、終点支持体５に終点用ワイヤ取付け金物１１を用いて固定する。ワイヤ装置８が円のように、閉じた図形に構築される場合は、始点支持体２、終点支持体５はなく、中継支持体４と中継用ワイヤ取付け金物１０と中間支持体３だけで構成されることもある。
【００１３】
始点用ワイヤ取付け金物９と終点用ワイヤ取付け金物１１は同様のものであるが、ねじに関しては右ねじと左ねじで逆になる。また、中継用ワイヤ取付け金物１０はどの中継支持体４においても同じものを利用することができる。
なお、始点支持体２から終点支持体５までの取り付けを順次的に示したが、順次に張設していく必要はなく、支持体間を単位としてどの支持体間からでも張設できる。
【００１４】
図２は、始点用ワイヤ取り付け金物９であり、始点支持体２に取り付けている。この金物９は、ねじ棒１２、端部ナット１３、ワッシャー１４、つなぎ材１５、決めナット１６、スレッドターミナル１７、及びカバー１８を備える。
ワッシャー１４は、図３に示すように、ねじ棒１２に嵌め込むことができる環状の部材であって外周面の溝１９にストッパーリング２０がゆるく装着されている。
ストッパーリング２０は、一部を切り欠いた円環状のバネ鋼製リングであり、ワッシャー１４の溝１９の底部径よりやや径大で、径を拡縮する方向に弾性を有する。
【００１５】
スレッドターミナル１７は始点側にねじ部２１を突出させ、中継側にワイヤ固定部２２を有し、その中間部に、工具掛け部２３を備えている。工具掛け部２３は、工具を掛けるために円周の一部を切欠いて平らにしたり六角形にした部分である。ワイヤ固定部２２には、第１のワイヤ７ａの始端側がかしめなどの手段により固定される。
つなぎ材１５は、両側を雌ねじとした長ナット状であり、始端側の雌ねじに棒ねじ１２が螺合し、中継側にスレッドターミナル１７のねじ部２１が螺合する。この実施例において、つなぎ材１５における両側の雌ねじは右ねじと左ねじでねじの方向が異なる。
【００１６】
カバー１８は、図４に示すように、ステンレスのパイプを横断して端部処理をしただけの形態で、ワッシャー１４、つなぎ材１５、決めナット１６、スレッドターミナル１７を納めることができる内径を有する大きさであると共に長さは、工具掛け部２３をわずかに超える程度としてある。この実施例において、ワッシャー１４と工具掛け部２３は、カバー１８の内径とわずかに小さい程度の外径としてあって、カバー１８を装着する時のガイド及びがたつきを防止する受け部材を兼ねている。
【００１７】
カバー１８はさらに、始端側の開口部内周面に前記のストッパーリング２０と係合する係合溝２４を有している。そして、図４ロに拡大して示すように、開口側の内面は、第１のテーパー面２５と第２のテーパー面２６とで断面において段丘状に作り、第１のテーパー面２５は軸方向に対して約３０度の角度で傾斜させ、第２のテーパー面２６は、４５度程度の角度をもって傾斜させてある。第２のテーパー面２６は係合溝２４の開口側溝壁である。
【００１８】
これにより、ワッシャー１４に対するカバー１８のはめ込み操作は容易に、ワッシャー１４からの引き抜き操作（カバーの軸方向移動）は、工具を使用しない限り、困難となるようにしてある。
なお、この実施形態において、カバー１４の係合溝２４から開口端面までの軸方向の寸法を、ワッシャー１４におけるストッパーリング２０から始点支持体２の中継側面までの寸法よりもわずかにだけ短くしてある。これにより、カバー１４は、その開口端が始点支持体２に対して、例えば、係合溝２４の幅程度まで近接して取り付けられる。
【００１９】
中継用ワイヤ取付け金物１０は、棒ねじ１２を共通にして中継支持体４の両側に対照に配置されるが、基本的には始点用ワイヤ取付け金物９と同じである。すなわち、ねじ棒１２は始点側と中継側を一体にした一本のねじ棒１２とされ、中継支持体４の始点側では、始点側に突出したねじ棒１２の部分に、ワッシャ１４やつなぎ材１５、決めナット１６を備えた構成（始点用ワイヤ取付け金物９と左右対称の構成、したがって、ねじは左ねじ）が配置されると共に、中継支持体４の終点側では、終点側に突出したねじ棒１２の部分に始点用ワイヤ取付け金物９と同じ構成が配置されている。
終点用ワイヤ取付け金物１１は、始点用ワイヤ取り付け金物と左右対称の構成（ねじは左ねじ）である。
【００２０】
ワイヤ７は次のように張設される。
ワイヤ７ａ（あるいは７ｂ）のそれぞれ両端にスレッドターミナル１７をカシメて固定し、それぞれのねじ部２１に決めナット１６を適宜螺合しておく。また、ワイヤ７ａの両端部からカバー１８をそれぞれはめ込んでおく。これらの取り付け方向は左右対称である。また、中間支持体３が存在する場合は中間支持体３にワイヤ７を貫通させた後、端部をスレッドターミナル１７に固定する。
【００２１】
始点支持体２にねじ棒１２を貫通させ、その中継側と反対側に端部ナット１３を螺合し、支持体２よりも中継側に突出したねじ棒１２にワッシャー１４を嵌め込み、さらに、つなぎ材１５を螺合して仮止めの状態としておく。ワッシャー１４の溝１９にはストッパーリング２０を装着しておく。このとき、ワッシャー１４が支持体２との間に軸方向でガタが生じないように、しかし、きつく挟みこまれないように注意する。
【００２２】
中継支持体４にもねじ棒１２を貫通させて、始点側と終点側双方にそれぞれのワッシャ１４（ストッパーリング２０を装着してある）をはめ込むと共につなぎ材１５を螺合して仮止めの状態としておく。終点支持体５には、配置が左右対称であるが、始点支持体２の場合と同様に棒ねじ１２とワッシャー１４（同）、つなぎ材１５を螺合して仮止めの状態としておく。
【００２３】
そして、２人の作業員で、ワイヤ７ａ両端のスレッドターミナル１７を一人ずつで持ち、呼吸を合わせてスレッドターミナル１７をワイヤ７ａとども回転させ、始点側つなぎ材１５（右ねじ）と中継側つなぎ材１５の雌ねじ（左ねじ）にスレッドターミナル１７のねじ部２１をそれぞれ螺合する。ねじ部２１のねじ込みには工具掛け部２３を利用し、工具を用いる。
【００２４】
このとき、決めナット１６は、スレッドターミナル１７のねじ込み量に充分な余裕を持った位置に配置しておき、スレッドターミナル１７が充分にねじ込まれてワイヤ７ａに必要な張力が付与された時点で、つなぎ材１５側に回動し、つなぎ材１５の端部に強く押し当て、つなぎ材１５に対するスレッドターミナル１７の位置を固定する。以後、同様にして、中継支持体４間にワイヤ７を張設し、最後に中継支持体４と終点支持体５間にワイヤ７ｂを張設する。なお、前記のように、円形など閉じた図形にワイヤ４を引き回す場合、支持体はすべて中継支持体４となるが、前記の取り付け手順に格別な際は生じない。
【００２５】
ついで、カバー１８を各支持体２，４，５の側へ移動して開口部の係合溝２４をワッシャー１４のストッパーリング２０と係合させる。この操作は、開口部の第１テーパー面２５の傾斜がゆるいことから、カバー１８を支持体２側へ強めに押し込む程度で行える。
これで、各支持体２〜５にワイヤ７が取付けられ、スレッドターミナル１７、すなわち、支持体との連結箇所はカバーによりきれいに化粧される。
【００２６】
図６は、始点用ワイヤ取付け金物９の他の例〔実施例２〕であり、終点用ワイヤ取付け金物も同様の構造（ねじの方向は逆）とすることができる。この始点用ワイヤ取付け金物９では棒ねじ１２と端部ナット１３からなる構造を頭付きボルト２８に変え、構造をより簡素なものとしている
【００２７】
以上のようにして、支持体２〜５を立設し、手摺りバー６を固定した後、下部の空間部にワイヤ装置８が完成する。
カバー１８の開口部における溝１９（ストッパーリング２０が係合する）から開口端までの寸法を、ワッシャー１４におけるストッパーリング２０から支持体（始端支持体、中継支持体、終端支持体）までの軸方向寸法よりもわずかに小さいだけとしてあるので、カバー１８と支持体との間にほとんど隙間ができず、連結部の外観はすっきりとしたスマートなものとなる。
【００２８】
カバー１８を係合させた方向と反対側へ引き戻す操作（軸方向操作）は、カバー１８の開口部における第２のテーパー面２６がストッパーリング２０と係合するので、第２のテーパー面２６の角度が大きいことにより、工具を用いて大きな力を加えない限り、カバー１８を外すことはできない。このため、カバー１８が外され、内部のつなぎ材１５などにいたずらされる恐れがない。
【００２９】
以上実施例を示したが、図７のように、ワッシャー１４とつなぎ材１５との間にさらにスプリングワッシャー２８を介在させても良い〔実施例３〕。ワッシャー１４からつなぎ材１５への回転や振動の伝達がより緩衝され、緩み止め効果が高い。
始点支持体２、終点支持体５において、外部に露出する端部ナット１３（図２）や頭付きボルト２７の頭などは怪我の危険を防止するためと外観を良くするために、合成樹脂などの端部カバー２９を装着しておくことがある。
【００３０】
スレッドターミナル１７のねじ部２１は実施例１において雄ねじであるが、つなぎ材１５との関係で雌ねじとすることもできる。
ワイヤ装置８は、図８のように、傾斜コネクト金具３０を用いることで、傾斜した状態に張設することもできる〔実施例４〕。傾斜コネクト金具３０は、取付け部材３１と回動部材３２とからなり、回動部材３２は取付け部材３１に軸３３で回動可能にヒンジ構造とされ、先端に前記の棒ねじ１２に相当するねじ部３４を備える。取付け部材３１は支持体（例えば、始点支持体２）に貫通した取付けねじ３５に螺合して取り付けられる。
【図面の簡単な説明】
【００３１】
【図１】手摺りの正面図
【図２】始点用ワイヤ取付け金物の正面図（一部断面）
【図３】図２の要部を拡大して示す断面図（カバーのハッチングを省略）
【図４】カバーの詳細を示す正面図、イは一部断面、ロは断面図（ハッチングを省略）
【図５】中継用ワイヤ取付け金物の正面図（一部断面）イはケースを一部断面として示す正面図、ロは一部を拡大して示す断面図
【図６】始点用ワイヤ取付け金物の正面図（一部断面、第２の実施例）
【図７】始点用ワイヤ取付け金物の正面図（一部断面、第３の実施例）他の実施形態）
【図８】ワイヤの取り付け状態を示す他の例（第４の実施例）
【符号の説明】
【００３２】
１  手摺り
２  始点支持体
３  中間支持体
４  中継支持体
５  終点支持体
６  手摺りバー
７ａ  第１のワイヤ
７ｂ  第２のワイヤ
８  ワイヤ装置
９  始点用ワイヤ取付け金物
１０  中継用ワイヤ取付け金物
１１  終点用ワイヤ取り付け金物
１２  棒ねじ
１３  端部ナット
１４  ワッシャー
１５  つなぎ材
１６  決めナット
１７  スレッドターミナル
１８  カバー
１９  溝
２０  ストッパーリング
２１  ねじ部
２２  ワイヤ固定部
２３  工具掛け部
２４  係合溝
２５  第１のテーパー面
２６  第２のテーパー面
２７  頭付きボルト
２８  スプリングワッシャ
２９  端部カバー
３０  傾斜コネクト金具
３１  取付け部材
３２  回動部材
３３  軸
３４  ねじ部
３５  取付けねじ
【図１】
2008008069.tif 000003
【図２】
2008008069.tif 000004
【図３】
2008008069.tif 000005
【図４】
2008008069.tif 000006
【図５】
2008008069.tif 000007
【図６】
2008008069.tif 000008
【図７】
2008008069.tif 000009
【図８】
2008008069.tif 000010